(57)【特許請求の範囲】
【請求項１】
断熱構造の商品収納庫内を冷却することにより生じたドレン水を所定の蒸発部位に移送する自動販売機のドレン水処理装置において、商品収納庫の底壁を形成する断熱パネルを発泡スチロールの原液を注入して発泡成形するとともにドレン水を前方に向けて移送する排水溝を一体に形成したうえで前記排水溝を撥水性の樹脂シートにより被覆してなり、前記排水溝は、庫内奥側に位置する比較的広幅の第１の溝およびこの第１の溝に連通するとともに前方に向かうにつれて漸次下方に傾斜する細幅の第２の溝からなり、前記第２の溝は断面形状が略Ｖ字状をなすとともに左右の傾斜壁面が前方に向かうにつれて互いに接近するように形成してなり、撥水性の樹脂シートは前記第１の溝および第２の溝に対応した第１の溝部および第２の溝部を備えることを特徴とする自動販売機のドレン水処理装置。
【発明の詳細な説明】
【技術分野】
【０００１】
この発明は、缶入り飲料，ペットボトル入り飲料等の商品を冷却してコールド商品として販売する自動販売機に係り、特に、缶入り飲料，ペットボトル入り飲料等の商品が収納された断熱構造の商品収納庫内を冷却することにより生じたドレン水を所定の蒸発部位に移送するドレン水処理装置に関する。
【背景技術】
【０００２】
缶入り飲料，ペットボトル入り飲料などの商品を販売する清涼飲料自動販売機は、断熱筐体としてなる本体キャビネットの商品収納庫内に前記商品をコールド，ホット状態に区分して保存するとともに外扉のディスプレイ室内に複数の商品見本を左右に並べて展示し、前記商品見本に対応して設けられた商品選択ボタンの操作に基いて選択された商品を販売するように構成されている。この種の自動販売機について図６を用いて説明する。
【０００３】
この自動販売機は、図６に示すように、前面が開口した本体キャビネット１０と、本体キャビネット１の前面にヒンジにより開閉可能に支持された片開き式の外扉２０とを備え、前記本体キャビネット１は鋼板製の外箱の内側、すなわち、上壁，左右側壁，背壁および底壁１０ａに硬質ウレタンフォームからなる矩形の平板状断熱パネルを配設して断熱筐体として構成されている。また、底壁１０ａの前面には樋部材１００が敷設されている。前記本体キャビネット１０の断熱パネルで囲まれた商品収納庫内は断熱仕切板３０により左右方向に複数の商品収納室１１，１２，１３に区画されている。前記各商品収納室１１，１２，１３には、この例ではサーペンタイン方式と呼ばれる蛇行した商品収納通路を有する商品収納ラック４０がそれぞれ収容設置されている。前記本体キャビネット１０の前面に開閉可能に支持された外扉２０と本体キャビネット１０における商品収納庫の前面との間には内扉５０が配設され、この例では内扉５が上下の上内扉５１と下内扉５２に分割されている。下内扉５２には各商品収納室１１，１２，１３の商品収納ラック４０から払い出された商品を送出するシューター６０と対峙する位置に搬出扉５２ａを有する商品搬出口が設けられている。前記搬出扉５２ａは上端入口を軸支されて垂下するとともに自重により商品搬出口を閉塞して冷気若しくは暖気の流出を防止しており、シューター６０を介して搬出される商品により押し開かれ、当該商品を外扉２０の商品取出口２６に送出するように形成されている。なお、前記外扉２０の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉２０の前面には硬貨投入口、紙幣挿入口、硬貨返却口、返却レバー、商品取出口、ハンドルロックなどが設けられている。
【０００４】
前記収納商品ラック４０が収容設置される商品収納室１１，１２，１３の下部領域であるシューター６０の下部には、熱交換器（冷凍機のエバポレータ），庫内ファン等からなる冷却ユニット（図示せず）が設置されている。前記本体キャビネット１０における底壁１０ａの下方領域は常温の機械室７０として形成され、この機械室７０には前記冷却ユニットと冷凍サイクルを構成する冷凍機のコンデンシングユニット８０およびドレン蒸発装置９０が配置される。前記冷凍機のコンデンシングユニット８０は、図７に示すように、前記熱交換器（冷凍機のエバポレータ）によって庫内空気と熱交換して気化した冷媒を圧縮するコンプレッサー８１、圧縮された高温高圧の冷媒を外気との熱交換により再液化するコンデンサー８２、外気を取入れコンデンサー８２を洗流するように送風する庫外ファン８３等からなり、コンプレッサー８１，コンデンサー８２，庫外ファン８３を本体キャビネット１０の基台１０ｂの上に据付けた構成になる。前記ドレン蒸発装置９０は、前記断熱仕切板３０により区画された複数の商品収納室１１，１２，１３の底部であって底部１０ａの上に敷設された鋼板製のドレンパン（不図示）に形成された排水口から底壁１０を貫通するドレンパイプを介して集められるドレン水を貯留する蒸発皿９１、この蒸発皿９１に貯留されたドレン水に漬るように、蒸発皿９１に敷設された蒸発シート９２からなり、蒸発皿９１を基台１０ｂの上であって冷凍機のコンデンシングユニット８０の側方に設置した構成になる。なお、清涼飲料自動販売機においては、複数の商品収納室１１，１２，１３のうち、商品収納室１１は冷却ユニットのみが配設されたコールド専用室として用いる一方、商品収納室１２，１３は冷却ユニットに加えてヒータ（加熱器）を追加装備して冷却／加熱ユニットを備えたコールド／ホット兼用室として用いることにより、コールド商品およびホット商品の販売を可能としているのが一般的である。また、冷却ユニットを構成する熱交換器をエバポレータ若しくはコンデンサーとして使用することより冷却／加熱を切り替えるようにしたものも多く利用されている。
【０００５】
かかる構成の自動販売機における複数の商品収納室１１，１２，１３に収容された商品収納ラック４０への商品の補充は、本体キャビネット１０の前面に設けた外扉２０および内扉５０（上内扉５１）を開放したうえで商品収納ラック４０の商品投入口から商品を投入することにより行われ、商品の補充の際に外扉２０および内扉５０（上内扉５１）が開放されると外気が商品収納庫内に侵入する。このように商品収納庫内に外気が侵入した状態で冷凍機のコンデンシングユニット８０を駆動して冷却ユニットにより商品収納ラック４０に収納された商品を冷却するとともに保冷すると外気中に含まれた水蒸気が凝結してドレン水が発生する。このドレン水は、商品収納室１１，１２，１３の底部に敷設された鋼板製のドレンパンに回収されるとともに当該ドレンパンに形成された排水口からドレンパイプを介して蒸発皿９１に集められ、蒸発皿９１に敷設された蒸発シート９２に吸い上げられて当該蒸発シート９２の表面から蒸発して外部に放散される。また、商品収納庫の内外の温度差により内扉５０の前面に生じた結露水は、底壁１０ａの前面に付設した樋部材１００を中継して蒸発皿９１に集められたうえで当該蒸発皿９１から外部に放散される。
【０００６】
ところで、昨今では商品収納庫の冷却効率や保温効率を図るため、本体キャビネット１における鋼板製の外箱の内側（上壁，左右側壁，背壁および底壁１０ａ）に配設される断熱パネルとして真空断熱材を配した断熱パネルが採用されている。この場合、真空断熱材が配された底壁１０ａ（断熱パネル）にドレン水を移送するドレンパイプの貫通孔を形成することが困難となる。このため、底壁１０ａの前端には排水樋が配されていることに着目し、ドレンパイプに代えて底壁１０ａにドレン水を庫外に移送する溝を形成したうえで排水樋を介して庫内のドレン水をドレン蒸発装置９０に導くようにしたものもある（例えば、特許文献１参照）。この特許文献１に開示された発明は、底壁を構成する断熱パネルに、ドレンパンに形成された排水口から排水されるドレン水を一時的に貯留するとともに当該貯留したドレン水を前方に向けて移送する溝を形成したものである。この場合、断熱パネルに形成した溝は、庫内の奥側に位置するドレンパンの排水口に対応して庫内奥側に位置して設けた溝がドレン水を一時的に貯留するように比較的幅広に形成され、ドレン水を前方に移送する溝が細幅に形成されるとともに前方に向かうにつれて漸次下方に傾斜するように形成されている。
【先行技術文献】
【特許文献】
【０００７】
【特許文献１】特開２０１４−１２０１２８号公報
【発明の概要】
【発明が解決しようとする課題】
【０００８】
上記特許文献１に開示された発明は、底壁に当該底壁を貫通して配設されるドレンパイプの貫通孔を形成する必要がないので、底壁を形成する断熱材として真空断熱材が配された断熱パネルを採用することができる点で優れている。しかしながら、断熱パネルとして硬質ポリウレタン等の硬質プラスチックフォームからなる平板状の断熱パネルが用いられていることから次のような問題を有する。すなわち、硬質プラスチックフォームからなる単体の断熱パネルにあっては、発泡成形によりドレン水を前方に移送する溝を一体に形成しようとすると圧縮しつつ発泡樹脂を硬化させねばならないので成形時間が長くなるとともに凹状の溝を有することから成形型からの型離れが悪いので歩留りの点で問題を有する。そのため、平板状の断熱パネルを複数枚用意して層状に重ね合わせるように構成し、最上位層となる単体パネルにはドレンパンに形成された排水口から排水されるドレン水を一時的に貯留する広幅の溝となる空所を形成し、中間層となる単体パネルには最上位層となる単体パネルに形成した貫通孔と連通するとともに一時的に貯留されたドレン水を前方に移送する細幅の溝となる空所を形成し、最下位層となる単体の断熱パネルの上に中間層および最上位層となる単体の断熱パネルをそれぞれ積層してモジュール化し、最上位層の断熱パネルにおける空所の底を中間層の断熱パネルの平面で閉塞してドレンパンに形成された排水口から排水されるドレン水を一時的に貯留する広幅の溝とするとともに中間層の断熱パネルの空所の一部を最上位層の断熱パネルの空所の一部と連通させ、この中間層の断熱パネルの空所の底を最下位層の断熱パネルの平面で閉塞して、最上位層と中間層の断熱パネルで形成された広幅の溝に一時的に貯留されたドレン水を前方に向けて移送する溝とするように構成されている。したがって、自動販売機の商品収納庫の底壁となる断熱パネルをモジュラー生産する工程が必要となることから加工工数が増加するのは勿論のこと、加工コストの上昇を惹起するという問題を有する。
【０００９】
本発明は上記の点に鑑みなされたものであり、その目的は前記課題を解決し、加工工数やコストの増大を招来することなくドレン水を前方に移送することが可能な自動販売機のドレン水処理装置を提供することにある。
【課題を解決するための手段】
【００１０】
上記目的を達成するために請求項１にかかる発明は、断熱構造の商品収納庫内を冷却することにより生じたドレン水を所定の蒸発部位に移送する自動販売機のドレン水処理装置において、商品収納庫の底壁を形成する断熱パネルを発泡スチロールの原液を注入して発泡成形するとともにドレン水を前方に向けて移送する排水溝を一体に形成したうえで前記排水溝を撥水性の樹脂シートにより被覆してなり、前記排水溝は、庫内奥側に位置する比較的広幅の第１の溝およびこの第１の溝に連通するとともに前方に向かうにつれて漸次下方に傾斜する細幅の第２の溝からなり、前記第２の溝は断面形状が略Ｖ字状をなすとともに左右の傾斜壁面が前方に向かうにつれて互いに接近するように形成してなり、撥水性の樹脂シートは前記第１の溝および第２の溝に対応した第１の溝部および第２の溝部を備えることを特徴とする。
【発明の効果】
【００１５】
本発明の請求項１に係る発明によれば、断熱構造の商品収納庫内を冷却することにより生じたドレン水を所定の蒸発部位に移送する自動販売機のドレン水処理装置において、商品収納庫の底壁を形成する断熱パネルを発泡スチロールの原液を注入して発泡成形するとともにドレン水を前方に向けて移送する排水溝を一体に形成したうえで前記排水溝を撥水性の樹脂シートにより被覆してなり、前記排水溝は、庫内奥側に位置する比較的広幅の第１の溝およびこの第１の溝に連通するとともに前方に向かうにつれて漸次下方に傾斜する細幅の第２の溝からなり、前記第２の溝は断面形状が略Ｖ字状をなすとともに左右の傾斜壁面が前方に向かうにつれて互いに接近するように形成してなり、撥水性の樹脂シートは前記第１の溝および第２の溝に対応した第１の溝部および第２の溝部を備えることにより、商品収納庫の底壁を形成する断熱パネルにドレン水を前方に向けて移送する排水溝を発泡成形により一体に形成することができるので加工工数を削減してコストダウンを図ることができるとともに前記排水溝を被覆する不透水性の樹脂シートにより断熱パネルの耐水性が損なわれることがないという効果を奏する。
【００１６】
また、本発明の請求項１に係る発明によれば、排水溝は、庫内奥側に位置する比較的広幅の第１の溝およびこの第１の溝に連通するとともに前方に向かうにつれて漸次下方に傾斜する細幅の第２の溝からなることにより、商品収納庫に生じたドレン水を撥水性の樹脂シートの比較的広幅の第１の溝部に貯留したうえで第２の溝部を介して排水することにより回収されたドレン水が溢れるのを防止することができるものである。
【００１７】
また、本発明の請求項１に係る発明によれば、排水溝を構成する第２の溝の断面形状を略Ｖ字状に形成するとともに左右の傾斜壁面が前方に向かうにつれて互いに接近するように形成してなることにより、ドレン水を毛管現象により前方に誘導することができ、前方に向かうにつれて漸次下方に傾斜する第２の溝の傾斜角度を小さくすることが可能となるので排水溝より断熱パネルの体積の削減を最小限に抑えることができるものである。
【図面の簡単な説明】
【００２０】
【図１】本発明の実施の形態にかかる自動販売機のドレン水処理装置を備えた底壁（断熱パネル）の斜視図である。
【図２】図１の断熱パネルの分解斜視図である。
【図３】図２の底壁を形成する断熱パネルと樹脂シートの斜視図である。
【図４】図３の断熱パネルに形成された排水溝を示し、（ａ）は図３のＡ−Ａ断面図、（ｂ）は図３のＢ−Ｂ断面図である。
【図５】図３の樹脂シートを示し、（ａ）は樹脂シートの斜視図、（ｂ）は（ａ）のＡ部の拡大図である。
【図６】本発明が対象とする自動販売機の扉開放図である。
【図７】図６の自動販売機の機械室の平面図である。
【発明を実施するための形態】
【００２１】
以下、本発明の実施の形態にかかる自動販売機のドレン水処理装置を図面に基づいて詳細に説明する。なお、自動販売機の全体構成は図６に示すものと同一であるので重複する説明は省略し、ここでは従来装置と相違するドレン水処理装置を備えた底壁（断熱パネル）について説明するものとし、また、図６に示した従来装置と同一のものには同一の符号を付して説明するものとする。
【００２２】
図１および図２において、１は断熱筐体としてなる本体キャビネット１０（図６参照）の底壁を構成する断熱パネルであり、商品収納庫の全域、すなわち、図６に示した断熱仕切板３０により左右方向に複数の商品収納室１１，１２，１３に跨る大きさの一枚の矩形状の発泡スチロールからなる。この断熱パネル１は、発泡成形機に発泡スチロールの原液を注入して発泡成形して形成されたものである。２１，２２，２３は、前記複数の商品収納室１１，１２，１３に対応して左右に分割された鋼板製のドレンパンであり、前記断熱パネル１の上に載置されるものである。各ドレンパン２１，２２，２３は、各商品収納室１１，１２，１３に設置された熱交換器（冷凍機のエバポレータ）の下部と対峙する位置にドレン水の回収溝２１ａ，２２ａ，２３ａが形成されている。それぞれの回収溝２１ａ，２２ａ，２３ａは、排水口２１ｂ，２２ｂ，２３ｂが設けられた最も低くなる箇所に向けて漸次低くなる態様で形成されている（図ではドレンパン２２の排水口２２ｂはドレンパン２２のフランジに隠れて見えない）。これらのドレンパン２１，２２，２３の間には断熱仕切板３０（図６参照）が挿入される、２４は、断熱パネル１に形成された切欠き１ａ，１ｂ，１ｃと、ドレンパン２１，２２，２３に形成された切欠き２１ｃ，２２ｃ，２３ｃに装着されるドレン受部材である。このドレン受部材２４は、ドレンパン２１，２２，２３に回収されたドレン水を受容して貯留するとともに庫内外が連通するのを防止するトラップを備えたドレン水通路部２４ａ、および機械室７０（図６参照）に設置されたコンデンサー８２と各商品収納室１１，１２，１３に設置された熱交換器（冷凍機のエバポレータ）とを接続する冷媒配管が挿通される冷媒配管部２４ｂからなる。また、ドレン受部材２４における冷媒配管部２４ｂに対してドレン水通路部２４ａが一段低く形成され、断熱パネル１に形成された切欠き１ａ，１ｂ，１ｃがドレン受部材２４に対応する大きさに形成されている一方、ドレンパン２１，２２，２３に形成された切欠き２１ｃ，２２ｃ，２３ｃが冷媒配管部２４ｂに対応する大きさに形成されていることによりドレン水通路部２４ａの上部がドレンパン２１，２２，２３により覆われている。
【００２３】
さて、図３に示すように、断熱パネル１の上面には前後方向に延在する複数の排水溝２，２，２が形成されるとともにこれらの排水溝２，２，２をカバーする樹脂シート３，３，３が設けられている。前記樹脂シート３，３，３は、請求項１に記載の撥水性部材を構成する。前記排水溝２，２，２は、ドレンパン２１，２２，２３の回収溝２１ａ，２２ａ，２３ａに設けられた排水口２１ｂ，２２ｂ，２３ｂに対峙して庫内奥側に位置する比較的広幅の第１の溝２ａ，２ａ，２ａと、この第１の溝２ａ，２ａ，２ａに連通するとともに前方に向かうにつれて漸次下方に傾斜する細幅の第２の溝２ｂ，２ｂ，２ｂからなる。この断熱パネル１は、発泡成形機により発泡スチロールの原液を注入して発泡成形して排水溝２，２，２および切欠き１ａ，１ｂ，１ｃを一体に形成したものである。なお、複数の排水溝２，２，２の構造は同一であるので、以下では図３の右端の排水溝２について説明することとする。
【００２４】
前記排水溝２における広幅の第１の溝２ａは、ドレンパン２３の回収溝２３ａに設けられた排水口２３ｂから滴下したドレン水を一時的に貯留するものであり、底面が略平坦であって前方に向かうにつれて先細りとなるように形成されている。この第１の溝２ａの先端に連なる細幅の第２の溝２ｂは、前方に向かうにつれて漸次下方に傾斜する横断面略Ｖ字状に形成されている。また、この第２の溝２ｂのＶ字状の横断面の角度（α）は、図３におけるＡ−Ａ横断面およびＢ−Ｂ横断面である図４の（ａ）および図４の（ｂ）に示すように、（α１＞α２）として形成され、左右の傾斜壁面が前方に向かうにつれて互いに接近するように形成されている。そして、第２の溝２ｂの先端は、断熱パネル１の切欠き１ｃに連通している。
【００２５】
前記排水溝２を被覆する樹脂シート３は、ポリエチレン・テレフタレート（以下、ＰＥＴと称する）樹脂成型品になり、発泡スチロールからなる断熱パネル１の耐水性を持たせるものである。前記樹脂シート３は、ＰＥＴのシートを真空成形後、トリミング加工を施して前記排水溝２の形状に対応した形状に形成されている。すなわち、樹脂シート３は、前記排水溝２における第１の溝２ａに対応する広幅の第１の溝部３ａおよび前記排水溝２における第２の溝２ｂに対応する細幅の第２の溝部３ｂからなる。樹脂シート３の第２の溝部３ｂは、前記排水溝２における第１の溝２ａと同様に、Ｖ字状に形成されるとともに左右の傾斜壁面が前方に向かうにつれて互いに接近するように形成されている。
【００２６】
ここで、樹脂シート３の第２の溝部３ｂの長さは、前記排水溝２における第２の溝２ｂよりも長く形成され、排水溝２における第２の溝２ｂの先端よりも前方に突出している。この樹脂シート３の第２の溝部３ｂの先端には、図５の（ｂ）に拡大して示すように、水切り３ｃが形成されている。この水切り３ｃは、前記排水溝２における第２の溝２ｂの傾斜角、すなわち、前方に向かうにつれて漸次下方に傾斜するように形成された排水溝２における第２の溝２ｂの傾斜角よりも大きな傾斜角を有するものである。なお、樹脂シート３の第２の溝部３ｂの先端の水切り３ｃは、ドレン受部材２４におけるドレン水通路部２４ａに進入するように構成されている。
【００２７】
前記断熱パネル１の排水溝２に樹脂シート３を装着してなるドレン水処理装置を備えた自動販売機においては、庫内で生じたドレン水がドレンパン２１，２２，２３の回収溝２１ａ，２２ａ，２３ａに回収される。この回収溝２１ａ，２２ａ，２３ａに回収されたドレン水は、排水口２１ｂ，２２ｂ，２３ｂを介して断熱パネル１の排水溝２を被覆する樹脂シート３における第１の溝部３ａに滴下して一時的に貯留される。第１の溝部３ａは比較的広幅に形成されていることから回収されたドレン水が溢れることはない。この第１の溝部３ａに貯留されたドレン水は、第１の溝３ａが先細りとなるように形成されているので毛管現象により前方に誘導されて第２の溝部３ｂに排出される。この第２の溝部３ｂに排出されたドレン水は、第２の溝部３ｂが前方に向かうにつれて漸次下方に傾斜する形成されていることから前方に移送され、さらに第２の溝部３ｂにおいては左右の傾斜壁面が前方に向かうにつれて互いに接近するように形成されていることから毛管現象により前方に誘導されてドレン受部材２４におけるドレン水通路部２４ａに排出される。この場合、第２の溝部３ｂの先端には水切り３ｃが形成されているので第２の溝部３ｂの先端から排出されるドレン水が第２の溝部３ｂの先端から背後に回り込んで断熱パネル１に侵入することなくドレン受部材２４におけるドレン水通路部２４ａに排出される。ドレン受部材２４におけるドレン水通路部２４ａに一時的に貯留されたドレン水は、ドレン水通路部２４ａに設けられたトラップにより庫内外が排水溝２を介して連通するのを防止する役目を果たす一方、ドレン水通路部２４ａから溢れたドレン水が、図６に示した底壁１０ａの前面に付設された樋部材１００に滴下して蒸発皿９１に集められる。
【００２８】
前述したように、この実施の形態にかかる自動販売機のドレン水処理装置においては、断熱構造の商品収納庫内を冷却することにより生じたドレン水を所定の蒸発部位に移送する自動販売機のドレン水処理装置において、商品収納庫の底壁１０ａを形成する断熱パネル１を発泡スチロールにより発泡成形するとともにドレン水を前方に向けて移送する排水溝２を一体に形成したうえで前記排水溝２を撥水性の樹脂シート３により被覆してなり、前記排水溝２は、庫内奥側に位置する比較的広幅の第１の溝２ａおよびこの第１の溝２ａに連通するとともに前方に向かうにつれて漸次下方に傾斜する細幅の第２の溝２ｂからなり、前記第２の溝２ｂは断面形状が略Ｖ字状をなすとともに左右の傾斜壁面が前方に向かうにつれて互いに接近するように形成してなり、撥水性の樹脂シート３は前記第１の溝２ａおよび第２の溝２ｂに対応した第１の溝部３ａおよび第２の溝部３ｂを備えることにより、商品収納庫の底壁１０ａを形成する断熱パネル１にドレン水を前方に向けて移送する排水溝２を発泡成形により一体に形成することができるので加工工数を削減してコストダウンを図ることができるとともに前記排水溝２を被覆する撥水性の樹脂シート３により断熱パネル１の耐水性が損なわれることがないという効果を奏する。
【００２９】
なお、上記実施の形態においては、断熱パネル１に形成した排水溝２を被覆する樹脂シート３は、ＰＥＴのシートを真空成形後にトリミング加工を施して前記排水溝の形状に対応した形状に形成したうえで排水溝２に装着するものについて説明したが、樹脂シートとしてＡＢＳ樹脂とし、このＡＢＳ樹脂を排水溝２の形状に真空成形したうえで断熱パネルの発泡型内にインサートして断熱パネル１の排水溝２に熱融着することもできるものである。また、上記実施の形態においては、撥水性部材として樹脂シートを用いた場合について説明したが、鋼板製でも良く、さらに、撥水性部材として撥水性を有する樹脂成分を含む塗料の塗布またはスプレーにより吹きつけてコーティングすることもできるものである。したがって、本発明は実施の形態に限定されるものではない。
【符号の説明】
【００３０】
１…断熱パネル、２…排水溝、２ａ…第１の溝、２ｂ…第２の溝、３…樹脂シート（撥水性部材）、３ａ…第１の溝部、３ｂ…第２の溝部、３ｃ…水切り、１０…本体キャビネット、２０…外扉、２１，２２，２３…ドレンパン、２４…ドレン受部材、８０…冷凍機のコンデンシングユニット、８１…コンプレッサー、８２…コンデンサー、９０…ドレン水蒸発装置、１００…樋部材。
【図１】
0006596825.tif 000002
【図２】
0006596825.tif 000003
【図３】
0006596825.tif 000004
【図４】
0006596825.tif 000005
【図５】
0006596825.tif 000006
【図６】
0006596825.tif 000007
【図７】
0006596825.tif 000008